(57)【要約】【課題】  部品点数増加による部品コストの上昇や組み立て工数の増加による組み立てコストの上昇を抑えることが可能な構成を備えた光ピックアップ装置を提供する。【解決手段】  レーザ光源から射出されたレーザ光を光ディスクの信号記録面に収束させる対物レンズと、この対物レンズを支持したレンズホルダーを揺動可能に支持するアクチュエータベースと、対物レンズの駆動制御用配線を有したフレキシブルプリント板と、このフレキシブルプリント板を覆うカバー１を備え、カバー１には、アクチュエータベースの揺動支点を押圧する片持ち梁状の押圧部１Ｂが一体に形成されている。【選択図】        図１
0003142983.tif 000002
【実用新案登録請求の範囲】
【請求項１】
レーザ光源から射出されたレーザ光を光ディスクの信号記録面に収束させる対物レンズと、
この対物レンズを支持したレンズホルダーを揺動可能に支持するアクチュエータベースと、
上記対物レンズの駆動制御用配線を有したフレキシブルプリント板と、
このフレキシブルプリント板を覆うカバーを備え、
上記カバーには、上記アクチュエータベースの揺動支点を押圧する片持ち梁状の押圧部が一体に形成されていることを特徴とする光ピックアップ装置。
【請求項２】
押圧部の近傍には、カバーを取り付けるための締結部が設けられていることを特徴とする請求項１に記載の光ピックアップ装置。
【考案の詳細な説明】
【技術分野】
【０００１】
本考案は、光ピックアップ装置に関し、さらに詳しくは、対物レンズ調整機構の保持構造に関する。
【背景技術】
【０００２】
従来、光ディスクを記録媒体とする光ディスクプレーヤには、上記光ディスクに記録された情報信号の読み取り再生手段として光ピックアップ装置が用いられている。
この光ピックアップ装置は、レーザ光源から射出されたレーザービームを、対物レンズを介して光ディスクの信号記録面にビームスポットとして集光させ、上記信号記録面に微小な凹凸などの列からなるピット列として記録された情報信号を読み取り再生する。
すなわち、上記光ピックアップ装置は、レーザービームを上記ピット列にビームスポットとして集光させるとともに、上記ピット列から反射された反射ビームの状態をフォトディテクタで検出することによって情報信号の読み取り再生を行うものである。
【０００３】
ところで、レーザービームが対物レンズを介してビームスポットとして光ディスクのピット列に集光されるとき、上記対物レンズの光軸が光ディスクの信号記録面に対し正確に垂直に維持されていないと、上記ピット列に集光されたビームスポットに収差が生じる。
ビームスポットに収差が生ずると極めて微小な各ピットに正確にレーザービームが集光されなくなり、読み取り再生される情報信号にノイズ成分が重畳され再生特性の劣化を招くばかりか、情報信号の読み取り再生が不能となることもある。
【０００４】
そこで、光ディスクプレーヤや光学式の記録再生装置に用いられる光ピックアップ装置にあっては、光ディスクの信号記録面に対しレーザービームが正確に垂直に入射されるように、上記レーザービームを光ディスクの信号記録面に集光させる対物レンズの光軸の傾きを調整可能となす傾き調整機構（以下、「スキュー調整機構」という。）を備えたものが種々用いられている。
【０００５】
スキュー調整に関する構成の一例として、特許文献１に開示されているように、ピックアップベースに対してタンジェンシャル方向に揺動可能に支持されているアクチュエータベースおよびアクチュエータベースに対してコイルバネを備えて揺動可能に付勢された状態で維持されているレンズホルダーを備え、上述したタンジェンシャル方向およびラジアル方向への調整を各部材の揺動動作により行うことができる構成がある。
【０００６】
図４は、特許文献１に開示されている構成を取り入れた従来の光ピックアップ装置の例を示す。図４において、光ピックアップ装置１００は、対物レンズ１０１を保持したレンズホルダー１０４を備えている。レンズホルダー１０４は、対物レンズ１０１のフォーカシング方向およびトラッキング方向への変位を許容するサスペンションバネ１０５を介してダンパーベース１０６によって支持されている。サスペンションバネ１０５は、レンズホルダー１０４の両側においてそれぞれ複数、互いに平行にかつ対物レンズ１０１の光軸方向に対しほぼ直角をなすようにダンパーベース１０６から伸びでていて、各サスペンションバネ１０５の先端部にレンズホルダー１０４が連結されている。レンズホルダー１０４には、このレンズホルダー１０４とともに対物レンズ１０１をフォーカシング方向およびトラッキング方向に駆動するコイル１０２，１０３を備えている。コイル１０２，１０３はこれらのコイルと対向させて配置されたフォーカシングマグネットおよびトラッキングマグネットとの間で生じる電磁力によってレンズホルダー１０４および対物レンズ１０１がフォーカシング方向およびトラッキング方向に移動する。レンズホルダー１０４が移動するとき上記各サスペンションバネ１０５が互いに平行な関係を維持したまま撓むことにより、フォーカシング方向およびトラッキング方向に平行移動することができる。
【０００７】
ダンパーベース１０６は、ねじ１０７Ｂを中心としてアクチュエータベース１０７に対してラジアル方向（矢印Ｒで示す方向）に揺動可能に支持されている。アクチュエータベース１０７の下面側からはねじ１０７Ｃがねじ込まれ、アクチュエータベース１０７の上面に側に突出したねじ１０７Ｃの先端がダンパーベース１０６の一端部下面に当接している。したがって、ねじ１０７Ｃの回転調整によってダンパーベース１０６がねじ１０７Ｂを中心として回転し、ダンパーベース１０６のラジアル方向の傾きを調整することができる。
【０００８】
アクチュエータベース１０７はピックアップベース１０８に搭載され、ピックアップベース１０８に形成されている揺動支点支持部１０８Ａにアクチュエータベース１０７の揺動支点部１０７Ａが当接している。揺動支点部１０７Ａは部分円弧状に形成され、この揺動支点部１０７Ａが上記揺動支点支持部１０８Ａの支持面に沿って摺動することにより、アクチュエータベース１０７がタンジェンシャル方向（矢印Ｔａで示す方向）において揺動可能に支持されている。
【０００９】
このような構成において、ラジアルスキュー調整を行う場合には、ねじ１０７Ｂを緩く締め、ねじ１０７Ｃを進退させてダンパーベース１０６がアクチュエータベース１０７に対してラジアル方向Ｒに揺動し得るようにする。
このとき、ダンパーベース１０６は、押さえバネ１０９の付勢により、その下面一端部が、ねじ１０７Ｃの先端に押し付けられている。
【００１０】
アクチュエータベース１０７の下面側からねじ１０７Ｃを回転させてアクチュエータベース１０７に対し進退させることにより、ダンパーベース１０６とねじ１０７Ｂの先端との当接高さ位置が変動し、ダンパーベース１０６はねじ１０７Ｂを中心として揺動する。これにより、ダンパーベース１０６のラジアルスキュー調整が行なわれることになる。
【００１１】
その後ねじ１０７Ｂを固く締め付けることにより、ダンパーベース１０６は、アクチュエータベース１０７に設けられかつねじ１０７Ｂの支持部でもある一対の立ち上り部１０７Ｄの間に挟持され、固定保持される。
【００１２】
タンジェンシャルスキュー調整に関しては、次の通りである。
押さえバネ１０９の付勢力により、アクチュエータベース１０７は、ピックアップベース１０８に向かって下方に押圧され、揺動支点部１０７Ａをピックアップベース１０８側の揺動支点支持部１０８Ａに常時当接させるようになっている。
【００１３】
この状態において、ピックアップベース１０８の下面側からねじ込まれ、ピックアップベース１０８の上面側に突出しているねじ１０８Ｂを回転させると、アクチュエータベース１０７を、その揺動支点部１０７Ａを支点として揺動させることができる。上記揺動支点部１０７Ａは部分円弧状に形成され、この部分円弧の中心位置を支点としてアクチュエータベース１０７を揺動させることができる。このようにしてアクチュエータベース１０７を揺動させることにより、アクチュエータベース１０７のタンジェンシャルスキュー調整が行われる。
【００１４】
このようにアクチュエータベース１０７のスキュー調整は、揺動支点を用いて揺動させる方式が採用されており、このような方式は、上記特許文献１だけではなく特許文献２においても開示されている。
【００１５】
【特許文献１】特開平０９−１８５８３１号公報
【特許文献２】特開平０５−３０３７４９号公報
【考案の開示】
【考案が解決しようとする課題】
【００１６】
ところで、スキュー調整を行うために用いられる構成には、アクチュエータベースの揺動支点がその位置を変化させないようにするための板バネなどの押圧部材が用いられている。図４に示す従来例の押さえバネ１０９がそれに該当する。
このため、光ピックアップ装置を組み立てる際には、例えば、柔軟な樹脂基板に回路パターンを印刷したフレキシブルプリント板を用いるような場合、フレキシブルプリント基板を押さえるためのカバーとは別に揺動支点を押圧する板バネを準備する必要がある。従って、板バネをカバーなどとは別の部品として加工し、また別の部品として組み付けることになるので、部品コスト、加工コストおよび組み立て工数などが増大する。
【００１７】
本考案の目的は、上記従来の光ピックアップ装置の問題点に鑑み、部品点数増加による部品コスト、加工コストの上昇、組み立て工数の増加による組み立てコストの上昇を抑えることが可能な光ピックアップ装置を提供することにある。
【課題を解決するための手段】
【００１８】
上記目的を達成するため、本考案は、レーザ光源から射出されたレーザ光を光ディスクの信号記録面に収束させる対物レンズと、この対物レンズを支持したレンズホルダーを揺動可能に支持するアクチュエータベースと、上記対物レンズの駆動制御用配線を有したフレキシブルプリント板と、このフレキシブルプリント板を覆うカバーを備え、上記カバーには、上記アクチュエータベースの揺動支点を押圧する片持ち梁状の押圧部が一体に形成されていることを最も主要な特徴としている。
【００１９】
上記押圧部の近傍に、上記カバーを取り付けるための締結部を設けるとよい。
【考案の効果】
【００２０】
本考案によれば、カバーの一部にレンズホルダーの揺動支点を押圧保持するための押圧部が一体に形成されているので、押圧部材をカバーとは個別の部材とした場合と違って、部品点数を低減することができる。これにより、部品管理コスト、加工コスト、組立コストを低減することができる。
【００２１】
しかも、カバーの取り付けに用いる締結部の一つが片持ち梁状の押圧部における基端部近傍に設けてあるので、押圧部の自由端が浮き上がるのを防止することができる。これにより、レンズユニットの揺動支点を定位置に保持することができ、スキュー調整を高い精度で行うことができる。
【考案を実施するための最良の形態】
【００２２】
以下、図面により本考案を実施するための最良の形態について実施例を挙げて説明する。図１は、本考案による光ピックアップ装置に用いられるフレキシブルプリント板押さえ用のカバーを示す外観図である。
【００２３】
図１において、カバー１は、フレキシブルプリント板〔図示されず〕の略全面を覆い得る大きさのカバー面１Ａを有する板状部材であり、その一部には、上記カバー面１Ａの一角隅から突出した位置に片持ち梁状の押圧部１Ｂが、例えばプレス加工による一体成形で設けられている。
【００２４】
押圧部１Ｂは、図２に示すように、アクチュエータベース３の揺動支点３Ａの上面に位置し、アクチュエータベース３の揺動支点３Ａをピックアップベース５に向かって押圧するようになっている。アクチュエータベース３は、これと一体の部材から、例えば４本のサスペンションバネが平行に伸び出し、各サスペンションバネの先端部にレンズホルダー２が結合されることにより、レンズホルダー２を平行移動可能に支持している。かかる支持構造は周知である。
【００２５】
押圧部１Ｂは片持ち梁状であり、その基端部近傍には押圧部１Ｂをせり上がらせた凹状の段部１Ｃがカバー面１Ａと連続して形成されており、カバー面１Ｃには、カバー１を取り付けるための締結部であるボルト挿通用孔１Ｃ１が形成されている。
ボルト挿通用孔１Ｃには、図２に示すように、カバー１を締結するボルト４が挿通されるようになっている。
【００２６】
以上のような構成においては、図３に示すように、光ピックアップ装置２０に装備されているフレキシブルプリント基板の上方にカバー１が配置される。
カバー１は、アクチュエータベース３に設けてある揺動支点３Ａ（図３では、便宜上、揺動支点の位置を明らかにするためにダンパーベース３の端面に揺動支点を示している）を上方からピックアップベース５に向かって押圧した状態で、凹状の段部１Ｃに設けてあるボルト挿通用孔１Ｃ１に挿通されたボルト４がピックアップベース５に締結されることでピックアップベース５に固定される。
【００２７】
これにより、カバー１の本来の機能に加えてカバーの機能とは別の機能である押圧作用を一つの部材で得られる。特に、カバー１の一部に押圧部１Ｂが一体的に加工されているので、押圧部材を改めて準備する必要や別工程で加工する必要がないので、加工コストや部品管理コストの上昇を抑えることができる。
【００２８】
一方、ボルト４の締結位置は、カバー１において梁状をなす押圧部１Ｂの基端近傍であるので、押圧部１Ｂの自由端に近い位置とすることができる。これにより、押圧部１Ｂに生起する押圧力により、押圧部１Ｂの自由端すなわち押圧位置での押圧力を強めるとともに、押圧の際の反力による押圧部１Ｂの浮き上がりを確実に防止することができる。
【００２９】
なお、図３においては、符号を付けて詳細を説明していないが、図４に示した場合と同様に、対物レンズ（便宜上、図４において用いた符号１０１で示す）を保持したレンズホルダー２、アクチュエータベース３を備えている。また、レンズホルダー２にはフォーカシングコイル、トラッキングコイルが固着されている。これらのコイルはフォーカシングマグネット、トラッキングマグネットとともに、フォーカシング制御アクチュエータ、トラッキング制御アクチュエータを構成している。
【００３０】
図３に示すように、光ピックアップ装置２０は２つのスキュー調整ねじ２２，２３を有している。前記揺動支点３Ａとスキュー調整ねじ２２の中心を結ぶ線と、揺動支点３Ａとスキュー調整ねじ２３の中心を結ぶ線は互いにほぼ直交している。したがって、スキュー調整ねじ２２，２３の調整により、揺動支点３Ａを支点として、ピックアップベース５に対するアクチュエータベース３の一方向への傾きと、この方向に対し直交する方向への傾きを調整することができる。揺動支点３Ａは球面状に形成されていて、ピックアップベース５に点接触しているため、上記２方向のスキューの一方を調整することによって他方の調整位置がずれることはない。
【００３１】
上記実施例においては、カバー１としてフレキシブルプリント基板を覆う機能を持つものを対象としたが、これに限らず、アクチュエータベースの上方に位置して光源部近傍の防塵などの機能を有する光源用カバーを対象とすることも可能である。
【図面の簡単な説明】
【００３２】
【図１】本考案にかかる光ピックアップ装置の実施例に用いられるカバーを示す外観図である。
【図２】図１に示したカバーを備えた光ピックアップ装置の模式図である。
【図３】図１に示したカバーを備えた光ピックアップ装置の外観斜視図である。
【図４】光ピックアップ装置の従来例を示す分解斜視図である。
【符号の説明】
【００３３】
１  カバー
１Ａ  カバー面
１Ｂ  押圧部
１Ｃ  凹状段部
１Ｃ１  ボルト挿通用孔
２  レンズユニット
３  アクチュエータベース
４  ボルト
５  ピックアップベース
２０  光ピックアップ装置
２２  スキュー調整ねじ
２３  スキュー調整ねじ
【図１】
0003142983.tif 000003
【図２】
0003142983.tif 000004
【図３】
0003142983.tif 000005
【図４】
0003142983.tif 000006